(57)【要約】 【課題】一枚の出力プリントデータ上に複数個の出力画像データを形成可能であるデジタル画像編集装置は、予め記憶されているテンプレート画像の中から選択したものを用いて出力プリントデータを作成するため、画像サイズはテンプレート画像における既定の画像サイズでしか取り得ることはできず、顧客は本当に必要とする画像サイズで出力プリントを入手できていなかった。【解決手段】本発明のデジタル画像編集装置は、一つの出力プリントデータ上に複数個の出力画像データを形成可能であって、出力画像サイズを任意のサイズに設定可能である画像サイズ入力部備えることによって、任意サイズの画像データが複数個配置された出力プリントデータを形成する。【選択図】  図４
2007189288.tif 000002
【特許請求の範囲】
【請求項１】
画像データを入力する画像データ入力部と、画像処理情報を入力するプリント情報入力部と、出力画像のサイズを入力する画像サイズ入力部と、入力画像データに画像変換処理を施して出力画像データを形成する画像データ変換部と、複数個の前記出力画像データから一又は複数の出力プリントデータを形成するプリント画像配置決定部とを備えたデジタル画像編集装置であって、
前記画像サイズ入力部は前記出力画像のサイズを任意のサイズに設定可能であることを特徴とするデジタル画像編集装置。
【請求項２】
前記プリント画像配置決定部は、設定した前記任意のサイズに基づいて前記出力画像データの個数を任意の個数にして出力プリントデータを形成することを特徴とする請求項１に記載のデジタル画像編集装置。
【請求項３】
前記プリント画像配置決定部は、設定した前記任意のサイズに基づいて前記出力画像データの配置を任意の配置にして出力プリントデータを形成することを特徴とする請求項１又は２に記載のデジタル画像編集装置。
【請求項４】
前記プリント画像配置決定部は、設定した前記任意のサイズに基づいて記録紙の余白領域が最小になるように複数個の出力画像を配置決定することを特徴とする請求項１〜３いずれかに記載のデジタル画像編集装置。
【請求項５】
前記プリント画像配置決定部は、出力プリントデータの余白領域にさらに出力画像データを形成可能であるか否かを判定し、形成可能と判断した場合には、画像追加可能であるとの通知を行うことを特徴とする請求項１〜４いずれかに記載のデジタル画像編集装置。
【請求項６】
記録紙上に形成される出力画像の画質を判断する画質判断部を備えており、入力した画像データの画素数と出力画像のサイズとから、画像形成に不適であると前記画質判断部が判断した場合には、画像形成不適であるとの通知を行うことを特徴とする請求項１〜５いずれかに記載のデジタル画像編集装置。
【請求項７】
記録紙に画像を形成する画像形成装置を備えた請求項１〜６いずれかに記載のデジタル画像編集装置。
【発明の詳細な説明】
【技術分野】
【０００１】
画像データを入力する画像データ入力部と、画像処理情報を入力するプリント情報入力部と、出力画像のサイズを入力する画像サイズ入力部と、入力画像データに画像変換処理を施して出力画像データを形成する画像データ変換部と、複数個の前記出力画像データから一又は複数の出力プリントデータを形成するプリント画像配置決定部とを備えたデジタル画像編集装置に関するものである。
【背景技術】
【０００２】
かかるデジタル画像編集装置は、例えば
【特許文献１】に記載されているように、複数個の画像枠を設けたテンプレート画像を予め何パターンか記憶し、そのうち顧客によって選択を受けたテンプレート画像の画像枠各々に出力すべき画像データを嵌め込むことで、１枚一つの出力プリントデータを作成するものである。かかるデジタル画像編集装置によって、１枚一枚に複数個の画像が形成された出力プリントを作成することが可能になった。
【０００３】
【特許文献１】特開2004-274467
【発明の開示】
【発明が解決しようとする課題】
【０００４】
しかしながら、上記従来技術では、予め記憶されているテンプレート画像の中から選択を受けたものを用いて出力プリントを作成するため、出力プリントにおける画像のサイズはテンプレート画像の画像枠に対応した既定の画像サイズしか採り得なかった。言い換えれば、出力プリントの画像サイズは固定されたサイズであって、任意のサイズではなかった。このように、顧客は本当に必要とする画像サイズで出力プリントを入手できるわけではなかった。
特に近年、デジタルカメラ付きの携帯電話の普及とそのカメラの多機能高性能化に伴って、携帯電話で撮影された画像をプリント出力して楽しむ顧客が増えつつある。そして、その撮影された画像をプリント出力するのに、携帯電話の表示画面上で表示されている画像サイズと同等のサイズで行いたいという要望があるのだが、上記従来技術によれば夫々の携帯電話の表示画面上で表示されている画像サイズに合った画像枠を持つテンプレート画像をその機種分装置に記憶しておくといった手法でしか解決できず、メモリ量が増大する上、選択動作が煩雑になるといった問題から実現が困難であった。
【０００５】
以上の問題から、１枚一つの出力プリントデータ上に複数個の出力画像データを形成可能であるデジタル画像編集装置において、前記出力画像データの画像サイズを任意のサイズにして出力プリントデータを形成できるデジタル画像編集装置を提供することを目的とする。
【課題を解決するための手段】
【０００６】
上述の目的を達成するために請求項１のデジタル画像編集装置は、出力画像サイズを任意のサイズに設定可能である画像サイズ入力部を備えることによって、任意サイズの出力画像データが複数個配置された出力プリントデータを形成することを特徴とする。
【０００７】
また、請求項２のデジタル画像編集装置は、前記プリント画像配置決定部が、設定した前記任意のサイズに基づいて出力画像データの個数を任意の個数にして出力プリントデータを形成することを特徴とする。
【０００８】
また、請求項３のデジタル画像編集装置は、前記プリント画像配置決定部が、設定した前記任意のサイズに基づいて出力画像データの配置を任意の配置にして出力プリントデータを形成することを特徴とする。
【０００９】
また、請求項４のデジタル画像編集装置は、前記プリント画像配置決定部が、設定した前記任意のサイズに基づいて記録紙の余白領域を最小になるように複数個の出力画像を配置決定することを特徴とする。
【００１０】
また、請求項５のデジタル画像編集装置は、前記プリント画像配置決定部が、出力プリントデータの余白領域にさらに出力画像データを形成可能であるか否かを判定し、形成可能と判断した場合には、画像追加可能であるとの通知を行うことを特徴とする。
【００１１】
また、請求項６のデジタル画像編集装置は、記録紙上に形成される出力画像の画質を判断する画質判断部を備えており、前記画質判断部が入力した画像データの画素数と出力画像のサイズとから、画像形成に不適な設定であると判断した場合には、画像形成不適であるとの通知を行うことを特徴とする。
【００１２】
また、請求項７のデジタル画像編集装置は、記録紙に画像を形成する画像形成装置を備えていることを特徴とする。
【００１３】
請求項１の構成を備えることにより、複数個の画像データを形成した出力プリントデータにおける画像サイズを、任意のサイズにしての画像が複数個配置された出力プリントを形成できる。よって、デジタル画像編集装置にテンプレート画像を大量に記憶させることなく、顧客の要望と一致する画像サイズの出力画像から成る出力プリントを作成できる。例えば、デジタルカメラ付き携帯電話で撮影した画像をプリント出力する場合、表示された画像サイズがどのようなサイズであってもテンプレート画像を使うことなく、前記表示された画像サイズと一致する出力画像から成る出力プリントを作成できる。
【００１４】
請求項２の構成を備えることにより、任意サイズの出力画像データを複数個形成した出力プリントデータにおいて、形成される出力画像データの個数を任意に設定できる。つまり、記憶したテンプレート画像を用いていた場合、出力プリントの画像枠数が決められたものであるために画像出力部数によっては余白領域を生じていたのだが、本発明では記録紙サイズに合わせて必要な画像数と画像サイズとを適宜設定できるので、無駄な余白領域が少ない出力プリントを作成できる。
【００１５】
請求項３の構成を備えることにより、任意サイズの出力画像データを複数個形成した出力プリントデータにおいて、形成される出力画像データの配置を任意に設定できる。よって、出力プリントにおける出力画像のサイズ、個数、配置を適宜設定すれば、レイアウトを自由自在に決定できるので、全体の画像配置バランスが整った、見栄えの良い出力プリントを作成できる。
【００１６】
請求項４の構成を備えることにより、プリント画像配置決定部が自動的に出力プリントデータを作成するのに加え、前記出力プリントデータは設定された画像サイズとプリントサイズとから、自動的に出力画像データの余白領域が最小になるように配置決定されるので、顧客は画像配置決定の煩わしさを感じずに操作完了できる。さらに、プリント１枚一枚に最大限の画像が形成される、換言すれば１オーダーにおける出力プリント枚数が最小限に抑えられるので、顧客はプリント料金の負担が少なくなる。
【００１７】
請求項５の構成を備えることにより、余白領域が生じる場合にはさらに出力画像データの追加可能であるとの通知を行い、再度出力画像データごとの出力部数変更処理を行う。よって、画像を形成できる領域があるにも拘らず、画像データがないために余白領域となっていた領域を無くすことができるのに加え、顧客は同じ出力プリント枚数でより多くの画像を入手できる。
【００１８】
請求項６の構成を備えることにより、画像形成に不適な変換画像データが存在する場合、それを画質判断部が判断し、画像形成不適であるとの通知を行う。よって、顧客はプリント出力する前に画像形成不適な変換画像データの画像サイズやプリントサイズを修正できるので、無駄なプリント作成を回避できる。
【００１９】
請求項７の構成を備えることにより、上述した特徴を備えたプリントを一つの装置で作成することができるため、画像形成装置が別に構成されている場合と比較してデータ転送処理の操作が省かれるため、処理動作が速く、操作性が簡便な装置を提供できる。
【発明の効果】
【００２０】
以上のように、本発明のデジタル画像編集装置は、テンプレート画像を記憶しなくても、様々な画像サイズを持つ出力プリントを作成できるので、装置システムの簡素化を実現しつつ、顧客のニーズに適切に対応した出力プリントを提供できる。
【発明を実施するための最良の形態】
【００２１】
以下、本発明のデジタル画像編集装置における最良の形態を図面に基づいて説明する。本発明のデジタル画像編集装置は画像形成装置Pを備えており、注文する顧客もしくは写真プリント店舗等のオペレータが、画像プリント形成まで全ての操作をデジタル画像編集装置で完了する。
【００２２】
本発明のデジタル画像編集装置１は、図１に示すように、画像形成装置Pを備えており、コントロール部１０からの指示を受け、図示しないアドバンスローラ等の搬送ローラ及びガイドによって長尺ロール状の記録紙２を繰り出して搬送を開始し、搬送されてきた記録紙２を切断部３で記録紙２’のサイズに切断し、画像形成部４で、コントロール部１０から送られてきた出力プリントデータに従い記録紙２’に画像を形成し、排出部５にて回収することで、記録紙に画像を形成する装置である。
【００２３】
図１及び図２に示すように、コントロール部１０は、主な入力部としてプリント情報入力部６と画像データ入力部７と表示部８とを備えている。
プリント情報入力部６から、プリントサイズ、画像サイズ、プリント枚数、補正処理情報、等の画像処理情報が入力される。特に画像サイズの入力は、画像サイズ入力部９から行われ、任意のサイズに設定可能である。画像データ入力部７は、１３５フィルム、APSフィルム、ポジフィルム等の写真フィルムや、CD-R、MO、メモリースティック等の記録メディアや、ネットワーク回線によって入力される画像データや、CAUに予め保存されている画像データなど、多種多様な画像データを受け付けることができる。表示部８はタッチパネル形式となっており入力手段として機能する。その他入力手段として、キーボードやマウス等を備えていてもよい。以上の入力された画像データはデジタルデータとしてコントロール部１０に送られる。
【００２４】
コントロール部１０は主な出力部として、切断部３と、画像形成部４と、表示部８とを備えている。
切断部３と画像形成部４は、前述のようにコントロール部１０によって制御され、出力プリントデータと画像処理情報とを基に出力プリントを作成する。表示部８は、出力画像や出力プリントをシミュレートした画像や各種画像処理情報をモニタによって表示する。また、前述した入力手段としての機能を併せ持つ。
【００２５】
次に図２を用いてコントロール部１０内部について説明する。コントロール部１０は内部に画像データ変換部１１と画質判断部１４とプリント画像配置決定部１５とを備えている。
画像データ変換部１１は、画像サイズ指定部１２と、画像補正部１３とを備え、前記プリント情報入力部６から入力された画像処理情報を基に前記画像データ入力部７から入力された画像データに補正、変換処理を施す。
画像サイズ指定部１２は、画像サイズ入力部９で指定された画像サイズに合わせて前記入力された画像データに拡縮処理、及び縦横比変換処理を施す。尚、画像データの画像として出力プリントデータ上に形成される領域は、画像サイズの縦横比や要望する画像範囲に合わせて適宜設定できる。例えば、入力した画像サイズと入力画像データとの縦横比が一致しない場合には、出力画像データの画像領域の一部を削除する、若しくは一部に余白領域を作成するなどして出力画像データの形成する範囲を設定できる。このような前記画像サイズ指定部１２における補正処理では、公知であるいかなる補正処理手段を用いてもよい。
画像補正部１３は、プリント情報入力部６から入力された色補正情報等の補正情報、及び予め記憶されている画像補正アルゴリズムに従い、前記入力画像データを補正する。
【００２６】
画像判定部１４は、作成された変換画像データが、プリント出力するのに適切か否かを判別する。判別の結果、画像形成に不適な変換画像データが存在する場合、顧客に画像形成不適であるとの通知を行い、修正するように促す。不適な変換画像データの例としては、画素数の少ない画像データにも拘わらず大きなプリントサイズに設定したことによって、低画質のプリントになる場合や、逆に画像サイズをあまりにも縮小させすぎたことによって、画像そのものを判別できなくなる場合などが挙げられる。判定手法として、記録紙サイズと、入力画像データの画素サイズと、出力画像データを形成するための補間量とから判定を下すのが最適である。
【００２７】
プリント画像配置決定部１５は、プリント情報入力部６で入力されたプリントサイズと、画像サイズと、画像形成データ数と、配置情報とを照らし合わせ、出力プリントデータ上での出力画像データの配置を決定する。具体的には、自動配置決定と手動配置決定の二つの配置決定モードがある。自動配置決定は、装置が自動的に出力プリントデータの出力画像データの配置を決定するもので、より詳細には、画像が形成されない余白領域の面積を極力減らし、出力プリントに最も多くの画像が形成されるように配置決定を行うものである。一方、手動配置決定は、顧客自らが手動にて出力プリントデータにおける出力画像データの配置を決定するものである。その詳細は後述する。
尚、この操作は予め画像配置が決定している通常プリントやテンプレート画像枠による規定サイズのプリント作成モードでは必要としない。
【００２８】
以上によって、入力された画像データやプリント情報データを基に出力プリントデータを形成する。そして、画像形成部４が前記出力プリントデータに対応した画像を記録紙２’に形成し、排出部５でオーダーごとに回収されてプリント完了となる。
【００２９】
以下、本発明実施形態における動作説明を図面に基づいて説明する。
まず、図３に記載のフローチャートを基に説明する。オーダーを開始すると、画像データを記憶したメディアを画像データ入力部７に入力するように要求される。入力して接続が確認され次第、画像データが装置に読み込まれる（S1）。読み込みが終了すると、プリント情報入力部６からプリントサイズを決定するように要求される（S2）。プリントサイズとしてはＬ版、２Ｌ版などの写真プリントサイズやＡ４、Ｂ５などのＪＩＳ規格サイズ等のいかなるサイズであってもよい。
【００３０】
次に、画像サイズを決定するように要求される（S3）。具体的には、表示部８に、図４に示す画像サイズ設定画面２０が表示される。画像サイズ設定画面２０は、通常プリント２１と複数枚プリント２２の２つのプリントモードから構成され、さらに前記複数枚プリント２２は規定サイズプリント２４と任意サイズプリント２５の２つのプリントモードから構成されている。
【００３１】
通常プリント２１（２３）は、S2にて決定したプリントサイズと一致するように入力画像データを拡縮処理し、作成された出力画像データを基に出力プリント１枚一枚に一つの画像のみを形成するものである。
【００３２】
一方、複数枚プリント２２は、出力プリント１枚一枚に複数個の画像を形成するものである。規定サイズプリント２４は、S2で決定したプリントサイズを基に、テンプレート画像を選択できる。具体的には、枚数変更画面２６で、４画像/１枚１枚 (40mm×60mm)のように、予め装置が記憶しているテンプレートサイズを表示し、表示画面８上で画像サイズと個数を選択できる。
【００３３】
任意サイズプリント２５は、本発明最大の特徴であって、出力画像の縦横幅を任意に決定できるものである。具体的には、表示部８で前記任意サイズプリント２５を選択すると、縦横幅入力枠２７に数値を入力できるようになる。ここで入力決定した数値サイズがそのまま出力プリント上の出力画像のサイズとなるので、任意サイズプリントによれば、顧客が要望する画像サイズどおりに画像形成できる。      
ところで、本発明の画像サイズは縦幅サイズと横幅サイズとを別々に任意のサイズに設定できる。その際、サイズの変更間隔は１mm刻みの数値としたが、適宜設定してよい。また、縦横比を一定にする、つまり拡縮の割合を任意の割合に変更して任意のサイズにする形態も考えられる。
【００３４】
さて、前記複数枚プリント２２は、さまざまなパターンの画像配置を取るため、表示部８に前記画像サイズ設定画面２０だけが表示されるのでは出力プリントにおける出力画像の配置状況を認識しづらい。そのため表示部８は、図５で示すような出力プリントに展開するシミュレーション結果画面３０を前記画像サイズ設定画面２０と同時に表示する。シミュレーション結果画面３０は実際の出力プリントに形成する出力画像領域３１と画像間隔３２と余白領域３３とをシミュレーション表示したものである。規定サイズプリント２４のテンプレート画像選択や任意サイズプリント２５の数値入力に対応して前記シミュレーション結果画面３０が随時変化するので、顧客は出力プリントにおける出力画像のサイズや空白の領域を視覚的に認識しながら設定できるため、出力プリントを望みどおりに作成しやすくなる。
【００３５】
任意サイズプリント２５において、出力プリントに形成される夫々の出力画像領域３１の配置決定を行うのはプリント画像配置決定部１５である。出力画像領域３１の配置は、画像サイズとプリントサイズとから余白領域３３の面積を極力減らすように決定される。
以下に参考図（図６）と共に具体的な配置手順を記す。（１）：出力プリントの任意の頂点（以下、基準頂点３４と呼ぶ）を基準に、出力プリント枠３８と出力画像枠３９が平行になる姿勢に出力画像領域３１を縦長或いは横長にして配置する（以下、この配置画像を初期配置画像３５と呼ぶ）。尚、便宜上、図６では横長の場合のみを記す。（２）：初期配置画像３５と並行に次順以降の出力画像領域３１を、基準頂点３４を含まない出力プリント枠３８のうちの一辺に向けて可能な限り並べる。（３）：（２）で並列させた複数の出力画像領域３１を前記出力プリント枠３８とは異なる基準頂点３４を含まない他方の出力プリント枠３８に向けて可能な限り並べる。
ここで、画像サイズによっては余白領域３３にさらに出力画像領域３１を形成できる場合があるので、（４）：基準頂点３４に対し対角線上にある頂点（以下、対角頂点３６と呼ぶ）を基準に、初期配置画像３５を９０度回転させた出力画像領域３１（以下、回転画像３７と呼ぶ）を、すでに作成された他の出力画像領域３１と重ならない範囲で前述（１）〜（３）と同様の方法で並べる。
以上（１）〜（４）の配置手順によって、初期配置画像３５の縦長或いは横長の向きで多くの出力画像領域３１を形成できる向きを選択し、出力プリントの配置パターンとして採用する。上記手法によれば、１枚一枚の記録紙に最も多くの出力画像を形成できる配置パターンを自動的に、且つ簡単に決定できるようになる。このように作成された出力プリントデータが、前記シミュレーション結果画像３０として表示画面８に表示される。
【００３６】
ここで、隣り合った出力画像領域３１間及び出力プリント枠３８と出力画像領域３１との間に所定の画像間隔３２を設ける。本実施形態では、画像間隔３２の間隔を予め店舗側で決定することにしているが、顧客自らが選択できる形態にしてもよい。また、画像間隔３２は設けなくてもよい。
【００３７】
具体的にプリント画像配置シミュレーションの過程を図７にて説明する。まず、(a)と(b)はプリントサイズと画像サイズと画像間隔が同じ設定であって、前記配置手順（１）〜（３）に従い、初期配置画像３５を(a)は縦長、(b)は横長にしてシミュレーションしたものである。夫々図７実線の出力画像領域３１のように配置される。ここで、(a)、(b)双方で配置手順（４）の回転画像３７を作成した場合、図７の破線で示した回転画像３７がすでに作成された他の出力画像領域３１と重なるため作成できない。よって今回の画像サイズでは、前記配置手順（１）〜（３）のみで終了となる。結果、図７のように(a)は８個、(b)は６個の出力画像領域３１が形成されることが判明し、(a)のパターンが自動的に選択される。
【００３８】
(c)と(d)もプリントサイズと画像サイズと画像間隔が同じ設定であって、前記配置手順（１）〜（３）に従い初期配置画像３５を(c)は縦長、(d)は横長にしてシミュレーションしたものである。夫々図７実線の出力画像領域３１のように配置される。この双方は(a)、(b)のパターンとは異なり、余白領域３３に前記配置手順（４）の回転画像３７を図７破線の出力画像領域３１のように作成可能である。よって今回の画像サイズでは、回転画像３７を配置し、さらにそれを基に配置手順（１）〜（３）に従い余白領域３３に最大限に出力画像領域３１を作成する。結果、図７のように(c)は１０個、(d)は９個の出力画像領域３１が形成されることが判明し、(c)のパターンが自動的に選択される。
【００３９】
ここで図４に戻り、前記任意サイズプリント２５で作成する場合では、前記画像サイズ設定画面２０で切り取り線設定２８と手動配置決定設定２９の選択が可能である。切り取り線設定２８を選択すると、プリントに切り取り線を形成する。手動配置決定設定２９を選択すると、前述した自動配置決定処理は行われず、顧客は出力プリントにおける出力画像の配置を手動で決定することができる。配置決定操作は夫々の画像の出力部数が決定された後に行われる。
【００４０】
以上、画像サイズが決定されると、画質判断部１４が、決定した画像サイズが出力プリントを形成するのに適切か否かを、記録紙サイズと、入力画像データの画素サイズと、出力画像データを形成するための補間量との関係から判断する（S4）。不適であると判断した場合には通知を行い、S3に戻り画像サイズを修正するように促す。
【００４１】
次に、画像データの変換、補正処理を行う（S5）。顧客がプリント情報入力部６から入力した色補正情報等の画像データ補正情報と、装置が予め記憶している補正情報とから、画像データ変換部１１が入力画像データに変換、補正処理を加える。
【００４２】
全ての入力画像データの変換、補正処理を完了すると、夫々の画像ごとの出力部数を決定するよう要求される（S6）。
通常プリントの場合、以上で操作完了し、プリント出力される（S10）。
【００４３】
規定サイズプリント及び、任意サイズプリントの自動画像配置設定の場合、前述（１）〜（４）の配置手順で決定した出力プリントの画像枠に、出力画像を自動的に嵌め込んでいく作業が行われ、出力プリントデータが完成する (S7)。
ここで、画像出力部数によっては、前記出力プリントの画像枠が余り、出力プリントで余白領域として形成されることがある。プリント画像配置決定部１５は前記画像形成データ数と前記画像枠数とから余白領域が発生することを予め判断して表示部８を通じて顧客に通知するので、顧客は余白領域が形成されたままプリント出力するか否かを選択できる(S8)。顧客は、さらに画像を追加したいならS6に戻って画像の追加を行い、余白領域が生じたままでよい又は余白領域が生じないならば完了し、プリント出力に進み操作が完了する（S10）。
【００４４】
任意サイズプリント２５の手動配置決定２９を選択した場合、顧客が出力プリントの画像配置を手動で決定する(S9)。具体的には表示部８に記録紙２’と出力画像領域３１とのシミュレーション画像を表示し、表示部８のタッチパネル形式を利用して前記出力画像領域３１のシミュレーション画像を前記記録紙２’のシミュレーション画像上で移動可能とした。よって、顧客自らが簡単な操作で要望とする画像配置の出力プリントを作成できる。
全ての出力画像データについて手動配置決定操作が完了すれば、プリント出力に進み操作が完了する（S10）。
【００４５】
このように、本発明のデジタル画像編集装置によって、出力プリントにおける画像のサイズ、個数、配置を適宜設定可能となり、様々なレイアウトを持つ出力プリントを作成できるようになった。
【００４６】
以上、本発明を実施するための最良の形態について説明したが、本発明は上述の形態に限られるものではなく、特許請求の範囲に記載した限りにおいて、様々な設計変更を行うことができる。例えば、本発明のデジタル画像編集装置は、画像プリント形成まで全ての操作を一機で完了するものであるが、複数の装置で操作を完了するなど別の形態であってもよい。
また、１オーダーにおけるプリントサイズを全て同サイズとしているが、１枚一枚ごとに異なるプリントサイズとしてもよい。プリントサイズを１オーダー分の出力画像形成領域に合致させた設定にすれば、余白領域をより生じない出力プリントを作成できる。
また、１オーダーにおける画像サイズは全て同サイズとしているが、一画像ごとに異なる画像サイズとしてもよい。
また、出力プリント上で出力プリント枠３９と画像データ枠とが平行になるように出力画像領域３１が配置されているが、非平行であってもよい。特に、手動配置決定で画像データを自由に回転できるようにすれば、さらに顧客の要望に適った出力プリントを作成できるようになる。
【産業上の利用可能性】
【００４７】
上述したように、本発明のデジタル画像編集装置は、一枚の出力プリントデータ上に複数個の出力画像データを形成可能でありながら、画像サイズを任意のサイズにして出力プリントデータを形成できるものである。
作成された出力プリントデータが自動配置決定による場合、一枚の出力プリントに最大限の要望サイズの出力画像が形成されるため、特に出力プリントから画像領域部分を切断する場合にその効果を発揮し、少ないプリント枚数で多くの要望サイズの画像プリントを提供できるようになる。一方、手動配置決定による場合、顧客が要望するレイアウトで出力プリントを作成した商品性の高いプリントを提供できるようになる。
このように本発明のデジタル画像編集装置によって、簡素化された装置システムのままで、顧客のニーズに適切に対応したプリントを提供できるようになった。
【図面の簡単な説明】
【００４８】
【図１】本発明の実施の形態に係わるデジタル画像編集装置全体の概略構成を示す図である。
【図２】本発明の実施の形態に係わるデジタル画像編集装置の画像編集部分の概略構成を示す図である。
【図３】本発明の実施の形態に係わるデジタル画像編集装置の操作手順をフローチャートによって示す図である。
【図４】本発明の実施の形態に係わるデジタル画像編集装置の画像サイズ設定画面を示す図である。
【図５】本発明の実施の形態に係わるデジタル画像編集装置の出力画像配置シミュレーション結果画像を示す図である。
【図６】本発明の実施の形態に係わるデジタル画像編集装置の出力画像配置シミュレーションの算出過程を示す図である。
【図７】本発明の実施の形態に係わるデジタル画像編集装置の出力画像配置シミュレーション対比例を示す図である。
【符号の説明】
【００４９】
１  デジタル画像編集装置
７  画像データ入力部
９  画像サイズ入力部
１２  画像サイズ指定部
１５  プリント画像配置決定部
２０  画像サイズ設定画面
２５  任意サイズプリント
２７  縦横幅変更枠
【図１】
2007189288.tif 000003
【図２】
2007189288.tif 000004
【図３】
2007189288.tif 000005
【図４】
2007189288.tif 000006
【図５】
2007189288.tif 000007
【図６】
2007189288.tif 000008
【図７】
2007189288.tif 000009